(57)【要約】      （修正有）【課題】  水中においては自動的に点灯操作が行われ、水中外では自動的に消滅する点灯式擬餌鉤を提供する。【解決手段】透光材で構成した擬餌鉤主体１に発光ダイオードｄおよびその電源Ｅを備えた回路装置Ａを収設する。そして、回路装置Ａの一対の端子ａ，ｂを、互いに導通する離開距離を置いて前記擬餌主体１の表面に配置する。【選択図】図１
2007282843.tif 000002
【特許請求の範囲】
【請求項１】
おもちゃその他の物品の物品主体に、当該物品を物理的に変化させる作動装置と該作動装置を駆動する回路装置をその電源と共に収設し、該回路装置の一対の端子を、水に接触して互いに導通する離開距離を置いて前記物品主体の表面に配置した、おもちゃその他水に接触させて用いる物品。
【請求項２】
透光材で構成した擬餌鉤主体に、発光ダイオード及びその電源を備えた回路装置を収設し、該回路装置の一対の端子を、水中において互いに導通する離開距離を置いて前記擬餌主体の表面に配置した、擬餌鉤。
【発明の詳細な説明】
【技術分野】
【０００１】
本発明は、水中等水に接触させて用いる擬餌鉤、おもちゃその他の物品及び擬餌鉤に関するものである。
【背景技術】
【０００２】
所謂光の反射は、魚を例えば、擬餌鉤に誘引するに効果的であることが知られており、このため、前記擬餌鉤の主体内に蓄光材を収設し、該蓄光材を光源として前記主体を通して当該擬餌鉤を照明する手段が採られている（例えば、特許文献１）。
【０００３】
【特許文献１】特開平１０−２７６６１８号公報
【発明の開示】
【発明が解決しようとする課題】
【０００４】
前記従来例の光源として用いている蓄光材は太陽光や蛍光灯などの紫外線エネルギーを蓄積して発光するものであるため、そのエネルギー蓄積操作を必要とし、また、水中外でも発光するため無駄なエネルギー消費が行われ易く、材料的にも経時変化によって破損し易い欠点がある。
【０００５】
本発明は、例えば斯様な従来例の欠点に着目し、水中や水に接触させて用い、本体内に電池と共に収設した回路装置の駆動によって作動して物理的に変化する擬餌鍵その他の物品の電池の無駄な消費を回避し、しかも、使用勝手の良好な製品を提供することを目的として創案したものである。
【課題を解決するための手段】
【０００６】
おもちゃその他の物品の物品主体に、当該物品を物理的に変化させる作動装置と該作動装置を駆動する回路装置をその電源と共に収設し、該回路装置の一対の端子を、水に接触して互いに導通する離開距離を置いて前記物品主体の表面に配置した構成とし、なお具体的には、透光材で構成した擬餌鉤主体に、発光ダイオード及びその電源を備えた回路装置を収設し、該回路装置の一対の端子を、水中において互いに導通する離開距離を置いて前記擬餌主体の表面に配置した構成にすることにより擬餌鉤として好適な製品を提供できる。
【発明の効果】
【０００７】
本発明によれば、川や海の水中に投入すると電気抵抗が無限大であった端子間に水の電気抵抗が作用して回路が導通状態となって作動装置を駆動させ、従って、水に接触することにより物理的に、しかも、自動的に変化する物品を提供することができ、また、水中から揚げると端子間の抵抗が無限大となって回路を開いて電池の無駄な消費を避けることができ、好適な製品を提供できる。
【実施例】
【０００８】
図１乃至図３は本発明に係る擬餌鉤の実施例を示し、図１は第一実施例の一部欠截正面図、図２は第二実施例の一部欠截正面図、図３は第三実施例の一部欠截正面図、図４は第一乃至第三の各実施例に適用した回路装置の回路図である。
【０００９】
本発明に係る擬餌鉤Ａ１ は、擬餌鉤主体１と該主体１の適所に取付けた鉤２とで構成したもので、擬餌鉤主体１は、透光材料（概し、合成樹脂）で構成して電池Ｅと該電池Ｅを電源とする発光ダイオードｄを備えた回路装置Ｍが収納され、該回路装置Ｍの一対の端子（電極）ａ，ｂを前記主体１表面に導出してセンサー端子として機能させるようにしてある。因みにここでいうセンサー端子としての機能とは、端子ａ，ｂを含んだ前記擬餌鉤主体１が河川や海の水中に沈んで端子ａ，ｂが当該水に接触したとき該水の電気抵抗分により導通状態になることをいう。
【００１０】
前記回路装置Ｍは、プリント基板３に電池Ｅおよび発光ダイオードｄを備え、図４で示す回路図の構成を採るものである。すなわち、端子ａ，ｂが大気中にあるとき（魚釣りをしていないとき）は、ａ−ｂ間の抵抗値は無限大で、ｃ点の電位は抵抗Ｒによって接地「０Ｖ」で、コントロール回路（トランジスター）ＴｒはＯＦＦ状態を維持し、電流は回路を流れずダイオードｄは点灯しない。そして、端子ａ−ｂが水中に投入されると（魚釣り時において）、端子ａ−ｂ間は、水の電気抵抗分により電池Ｅの＋側に接続され、ｃ点の電位はＲ（ａ−ｂ）：Ｒの比率で＋側の電圧となり、コントロール回路Ｔｒは電圧上昇を検知して回路内に電流を流し、発光ダイオードｄを点灯させ、その光は主体１を透過して魚を誘引するのである。
【００１１】
なお、再び大気中に置くと（魚鉤の状態を停止すると）ａ−ｂ間の抵抗値が無限大となって回路が開くことになり、電池Ｅの電気消費を規制する。
【００１２】
図１で示す第一実施例は、魚状の擬餌鉤主体１に前記回路装置Ｍを密閉状にして収設して構成したもので、この実施例は回路装置Ｍの水との接触を確実に防ぎ、水との接触による該装置Ｍの故障を防ぐことができるが、電池Ｂの電気消耗により使用に耐えられなくなるので、いわば使い捨て用として適用するものである。
【００１３】
図２および図３で示す第二、第三実施例は、電池Ｅの交換ができるようにして永年の使用に耐え得るようにしたもので、図２の第二実施例は、魚状の擬餌鉤主体１を頭部側の中空状の一半部１Ａと、尾部側の、中実状の他の一半部１Ｂに分割し、一半部１Ａに雌ねじ部１１を設ける一方、他の一半部１Ｂ側に該雌ねじ部１１に螺合する雄ねじ部１２を突設し、雌ねじ部１１を通じて取り出し自在にして内腔部４に回路装置Ａを収容した前記一半部１Ａの雌ねじ部１１にパッキン１３を介して雄ねじ部１２を螺合して各半部をＡ，１Ｂを互いに接続して主体１としたものである。
【００１４】
図３の第三実施例は、中空の擬餌鉤主体１に窓口４ａを設けて内腔部４を開口し、該開口部である窓口４ａに蓋板１４を前記主体１にねじ１５で止着するようにして前記内腔部４を閉塞し、取り出し自在に内腔部４に納めた回路装置Ｍの水との接触を防ぐようにしたものである。なお、１６は止水用の弾性片を示す。
【００１５】
各実施例における発光ダイオードｄは点滅点灯式のものと連続点灯式のものいずれも不都合はないし、赤、青、緑等いずれの点灯色のものでも差し支えはない。
【００１６】
図５は、所謂船おもちゃＡ２ に本発明を適用した略示説明図で、船おもちゃＡ２ は、おもちゃ主体１´、回路装置Ｍ´を収設し、該回路装置Ｍ´を第一実施例と同様に発光ダイオードｄおよび電池Ｅ（交換自在にして）を備えさせると共に、発光ダイオードｄが点灯すると同時に電池Ｅを電源として作動するスクリュー装置Ｓを備えさせ、前記主体１´の船底表面に回路装置Ｍ´の一対の端子（電極）ａ，ｂに導出して第一乃至第三実施例と同様にセンサー端子として機能させるようにしてある。すなわち、船おもちゃＡ２ は水に浮かべると接点ａ，ｂが導通して回路が閉じ、発光ダイオードｄが点灯し、スクリュー装置Ｓ（なお、ｍはモーターを示す）が作動して水上を走行するのである。
【００１７】
本発明は、実施例として示したものに限らず、要は、水に接触させて用い、かつ、水との接触によって物理的に変化させる作動装置とその駆動回路を備えたものであれば、種々様々な物品（概し、趣味、娯楽用品やおもちゃの類）に適用できることはいうまでもない。
【図面の簡単な説明】
【００１８】
【図１】第一実施例の一部欠截正面図。
【図２】第二実施例の一部欠截正面図。
【図３】第三実施例の一部欠截正面図。
【図４】実施例に適用した回路装置の回路図。
【図５】他実施例の略示説明図。
【符号の説明】
【００１９】
１          擬餌鉤主体
１´        おもちゃ主体
Ｍ，Ｍ´    回路装置
Ｅ          電源
ａ，ｂ      接点
【図１】
2007282843.tif 000003
【図２】
2007282843.tif 000004
【図３】
2007282843.tif 000005
【図４】
2007282843.tif 000006
【図５】
2007282843.tif 000007